(57)【特許請求の範囲】
【請求項１】
多角形板状をなすインサート本体と、
該インサート本体の上面と側面との交差稜線部に位置するとともに、前記多角形の少なくとも一つのコーナ部に形成されたコーナ切刃と、該コーナ切刃に繋がり前記コーナ部を構成する辺に沿ってそれぞれ延びる主切刃とを有する切刃部と、
前記インサート本体の上面において、前記コーナ切刃及び主切刃の前記インサート本体の内側に形成されたすくい面と、
該すくい面よりさらに前記インサート本体の内側に形成されたブレーカ突起と、
を備えた切削インサートにおいて、
前記切刃部は側面視において、前記コーナ切刃を最高部とする凹状に形成されており、
前記コーナ部の二等分線を含む垂直断面におけるすくい角θ１は、同断面における前記ブレーカ突起の立ち上がり角度θ２よりも大きく、
前記主切刃と直交する垂直断面におけるすくい角θ３は、同断面における前記ブレーカ突起の立ち上がり角度θ４よりも小さく、
前記上面に、前記ブレーカ突起よりも高いとともに、前記コーナ部を基準に前記ブレーカ突起よりも遠く且つ前記ブレーカ突起から離間した位置に、前記コーナ部を構成する各辺に沿って配置された複数の載置面がそれぞれ形成され、
前記すくい面よりも前記インサート本体の内側であって、前記ブレーカ突起と最も前記ブレーカ突起側に設けられた２つの前記載置面とに囲まれた領域に、前記上面のうち最も高さが低い凹部が形成されていることを特徴とする切削インサート。
【請求項２】
前記コーナ切刃のすくい角は、該コーナ切刃の中央から離れるに連れて小さくなっていることを特徴とする請求項１に記載の切削インサート。
【請求項３】
前記主切刃と直交する垂直断面におけるすくい角θ３は、前記コーナ部から離れるに連れて角度が小さくなっていることを特徴とする請求項１又は請求項２に記載の切削インサート。
【請求項４】
前記主切刃と直交する垂直断面において、前記コーナ部から離れるにつれて、前記主切刃から前記ブレーカ突起までの距離が離れているとともに、前記すくい面の最低部が低くなっていることを特徴とする請求項１乃至３のいずれかに記載の切削インサート。
【請求項５】
前記コーナ部におけるすくい面は、上面視において、各辺が前記ブレーカ突起に向かう扇状であることを特徴とする請求項１乃至４のいずれかに記載の切削インサート。
【請求項６】
前記切刃部は、側面視において、前記コーナ部から遠い方の前記凹状の切刃部の端部から他方のコーナ部に向かって一定の高さで形成されており、
前記上面において、前記一定の高さで形成されている切刃部から前記インサート本体の内側に向かってランド部が形成されていることを特徴とする請求項１乃至５のいずれかに記載の切削インサート。
【請求項７】
前記インサート本体は、該インサート本体の下面と側面との交差稜線部に位置するとともに、前記多角形の少なくとも一つのコーナ部に形成された下面側コーナ切刃と、該下面側コーナ切刃に繋がり該下面側コーナ部を構成する辺に沿ってそれぞれ延びる下側主切刃とを有する下面側切刃部と、
前記インサート本体の下面において、前記下面側コーナ切刃及び下面側主切刃の前記インサート本体の内側に形成された下面側すくい面と、
該下面側すくい面よりさらにインサート本体の内側に形成された下面側ブレーカ突起と、
を備えていることを特徴とする請求項１乃至６のいずれかに記載の切削インサート。
【請求項８】
前記θ１は、１５〜３０°であり、前記θ２は、５〜１５°であることを特徴とする請求項１乃至７のいずれかに記載の切削インサート。
【請求項９】
前記θ３は、１０〜２０°であり、前記θ４は、２５〜４０°であることを特徴とする請求項１乃至８のいずれかに記載の切削インサート。
【請求項１０】
請求項１乃至９のいずれかに記載の切削インサートを、ホルダに取り付けた切削工具。
【請求項１１】
請求項１０に記載の切削工具を用いて被削材を切削する切削方法であって、
前記被削材に切削工具を相対的に近づける工程と、
前記被削材を回転させ、前記切刃を被削材の表面に接触させて、被削材の表面を切削する工程と、
前記被削材と前記切削工具とを相対的に遠ざける工程とを、備えることを特徴とする切削方法。
【発明の詳細な説明】
【技術分野】
【０００１】
本発明は、金属等の切削加工に使用される切削インサート及びそれを用いた切削工具並びに切削方法に関する。
【背景技術】
【０００２】
従来からホルダに着脱可能に取り付けられる切削インサートとして、例えば図１１〜１３に示すようなものが知られている。この切削インサート１は、インサート本体２が略多角形板状をなしており、具体的には、上面視で菱形状となっている。インサート本体２は、上面３にすくい面を、側面５に逃げ面を、下面４にホルダに取り付けられる着座面をそれぞれ有している。上面３と側面５及び下面４と側面のそれぞれの交差稜線部には切刃部１０が形成されている。
【０００３】
上面３においてそれぞれ４つのコーナ部６には、上面視で略二等辺三角形上の三角錐台であるブレーカ突起３１が形成されている。
【０００４】
このような、切削インサート１をホルダに取り付けて被削材を切削加工する場合、切刃によって被削材から削り取られた切屑は、すくい面３０に沿って流れ、ブレーカ突起３１に衝突してその流れる方向を変えて折り曲げられ、適切な長さに分断されて排出される。
【０００５】
上記のように、切削インサートの上面におけるブレーカ突起に関する技術としては、例えば、特許文献１には、ブレーカ突起を楕円錐台またはその一部から形成するとともに、この突起を少なくとも切刃となる各外縁辺の略中央部近傍とコーナ部近傍とに配設する技術が開示されている。また、特許文献２には、多角形板状をなすインサート本体のコーナ部のみに、第１のランドと該第１のランドに連なる第２のランドを形成し、該第２のランドより内側に離間した位置にブレーカ突起を形成する技術が開示されている。
【０００６】
上記特許文献１によれば、楕円を基調とする突起により切屑の接触面積を減少させて切削抵抗を低減させることができる。これにより、切屑の流出方向をコントロールすることができ、広範囲の切削条件下での切屑処理を良好にすることができる。
【０００７】
また、上記特許文献２によれば、低切り込みで切削加工を行った場合は、第２のランドにより切屑を折り曲げて、分断、排出することができ、高切り込み高送りの切削加工を行った場合は、ブレーカによって切屑の折り曲げが行われる。そのため、低切り込みから高切込み高送りの切削まで幅広い条件で切屑を良好に処理することができる。
【特許文献１】特開平１０−１１８８０７号公報
【特許文献２】特開２００２−２５４２１５号公報
【発明の開示】
【発明が解決しようとする課題】
【０００８】
上記のような切削インサートにおいては、インサート本体のコーナ部に形成されたコーナ切刃近傍のみが切削加工に使用されることが多い。そのため、コーナ切刃で切削された切屑を如何に処理するか、切屑処理の性能に大きく影響する。
【０００９】
また、コーナ切刃は被削材の加工面に接触する部位であるため、被削材の加工面品位が要求される加工においては、他の切刃部分と比較して良好な刃先状態を長く維持することが求められる。そのため、コーナ切刃における強度及びコーナ切刃で切削した切屑の処理を両立させ、且つ、幅広い条件での切削加工に対応させることが求められている。
【００１０】
これらは、被削材の種類に関わらず、一般鋼やステンレス鋼など様々な加工用途において求められている。
【００１１】
上記従来の切削インサートにおいても、このような問題点は考慮されているものの、十分な成果を得られてはいなかった。
【００１２】
そこで、本発明は、上記問題点に鑑み、コーナ切刃における強度及びコーナ切刃で切削した切屑の処理を両立させ、且つ、幅広い条件での切削加工に対応させることができ、カールピッチの狭い良好な切屑を排出することができる切削インサート及びそれを用いた切削工具並びに切削方法を提供することを目的とする。
【課題を解決するための手段】
【００１３】
本発明の一態様にかかる切削インサートは、多角形板状をなすインサート本体と、該インサート本体の上面と側面との交差稜線部に位置するとともに、前記多角形の少なくとも一つのコーナ部に形成されたコーナ切刃と、該コーナ切刃に繋がり前記コーナ部を構成する辺に沿ってそれぞれ延びる主切刃とを有する切刃部と、前記インサート本体の上面において、前記コーナ切刃及び主切刃の前記インサート本体の内側に形成されたすくい面と、該すくい面よりさらに前記インサート本体の内側に形成されたブレーカ突起と、を備えた切削インサートにおいて、前記切刃部は側面視において、前記コーナ切刃を最高部とする凹状に形成されており、前記コーナ部の二等分線を含む垂直断面におけるすくい角θ１は、同断面における前記ブレーカ突起の立ち上がり角度θ２よりも大きく、前記主切刃と直交する垂直断面におけるすくい角θ３は、同断面における前記ブレーカ突起の立ち上がり角度θ４よりも小さく、前記上面に、前記ブレーカ突起よりも高いとともに、前記コーナ部を基準に前記ブレーカ突起よりも遠く且つ前記ブレーカ突起から離間した位置に、前記
コーナ部を構成する各辺に沿って配置された複数の載置面がそれぞれ形成され、前記すくい面よりも前記インサート本体の内側であって、前記ブレーカ突起と最も前記ブレーカ突起側に設けられた２つの前記載置面とに囲まれた領域に、前記上面のうち最も高さが低い凹部が形成されていることを特徴とするものである。
【００１４】
また、上記発明において、前記コーナ切刃のすくい角は、該コーナ切刃の中央から離れるに連れて小さくなっていることが好ましい。
【００１５】
また、上記発明において、前記主切刃と直交する垂直断面におけるすくい角θ３は、前記コーナ部から離れるに連れて角度が小さくなっていることが好ましい。
【００１６】
また、上記発明において、前記主切刃と直交する垂直断面において、前記コーナ部から離れるにつれて、前記主切刃から前記ブレーカ突起までの距離が離れているとともに、前記すくい面の最低部が低くなっていることが好ましい。
【００１７】
また、上記発明において、前記コーナ部におけるすくい面は、上面視において、各辺が前記ブレーカ突起に向かう扇状であることが好ましい。
【００１８】
また、上記発明において、前記切刃部は、側面視において、前記コーナ部から遠い方の前記凹状の切刃部の端部から他方のコーナ部に向かって一定の高さで形成されており、前記上面において、前記一定の高さで形成されている切刃部から前記インサート本体の内側に向かってランド部が形成されていることが好ましい。
【００１９】
また、上記発明において、前記インサート本体は、該インサート本体の下面と側面との交差稜線部に位置するとともに、前記多角形の少なくとも一つのコーナ部に形成された下面側コーナ切刃と、該下面側コーナ切刃に繋がり該下面側コーナ部を構成する辺に沿ってそれぞれ延びる下側主切刃とを有する下面側切刃部と、前記インサート本体の下面において、前記下面側コーナ切刃及び下面側主切刃の前記インサート本体の内側に形成された下面側すくい面と、該下面側すくい面よりさらにインサート本体の内側に形成された下面側ブレーカ突起と、を備えていることが好ましい。
【発明の効果】
【００２１】
本発明の上記態様の切削インサートによれば、コーナ切刃における切削抵抗を低減するとともに、コーナ切刃において切削した切屑を角度の大きいすくい面で該すくい面の底まで十分に引き込むことにより、幅広い送り条件でカール径の小さい安定した切屑処理が可能になり、さらに立ち上がり角度の小さいブレーカ突起により、カールピッチの狭い良好な切屑をスムーズに排出することができる。また、主切刃も使用して切削した切屑は、立ち上がり角度の大きいブレーカ突起によって確実にカールさせることができる。
また、複数の載置面が、上面の、ブレーカ突起よりも高いとともに、コーナ部を基準にブレーカ突起よりも遠く且つブレーカ突起から離間した位置に、コーナ部を構成する各辺に沿って配置されていることから、最も使用頻度が高いコーナ切刃で切削された切屑を処理するブレーカ突起、特にその先端側（コーナ切刃側）の形状の自由度が高まるため、良好な切屑の排出が可能になる。さらに、すくい面よりもインサート本体の内側であって、ブレーカ突起と最もブレーカ突起側に設けられた２つの載置面とに囲まれた領域に、上面のうち最も高さが低い凹部が形成されていることから、焼結時におけるブレーカ突起の形状の変形を抑制することができる。
【００２２】
また、請求項２にかかる発明によれば、コーナ切刃の中央部近傍を使用する低切り込み加工においても、切屑をすくい面の底まで確実に引き込むことができるため、カール径が小さく絡まりにくい切屑を排出することができる。
【００２３】
また、請求項３にかかる発明によれば、コーナ切刃の強度向上に加えて、コーナ切刃に続いて使用頻度が高い、コーナ切刃近傍における切刃部の強度と切屑処理を向上させることができる。
【００２４】
また、請求項４にかかる発明によれば、主切刃も使用して切削された切屑は、コーナ切刃から切り込み量以上離れた位置にあるすくい面の底部に干渉することなくカールして排出される。その結果、幅広い送り条件及び切り込み深さにおいても、安定した切削加工が可能になる。
【００２５】
また、請求項５にかかる発明によれば、コーナ切刃で切削した切屑を、ブレーカ突起に効果的に集めることができ、切屑処理性能を向上させることができる。
【００２６】
また、請求項６にかかる発明によれば、凹状に形成された切刃部の範囲を超えて切削する場合の切刃部の強度を向上させることができる。
【００２７】
また、請求項７にかかる発明によれば、上下面の切刃部が使用できるため、経済性に優れるとともに、下面側を切削加工に使用しても良好な切屑処理が可能となる。
【発明を実施するための最良の形態】
【００２９】
以下に本発明の一実施形態を、図面を参照して説明する。
【００３０】
図１乃至図７は、本発明の一実施形態の切削インサートを示すものであり、図１は本発明の一実施形態による切削インサートの上面図、図２は図１における１つのコーナ部の拡大斜視図、図３は一実施形態の切削インサートの側面図（ａ）及び１つのコーナ部の拡大側面図（ｂ）、図４は図１におけるＡ−Ａ断面図、図５は図１におけるＢ−Ｂ断面図、図６は図１におけるＣ−Ｃ断面図、図７は図１におけるＤ−Ｄ断面図である。
【００３１】
図１及び図２に示すように、本実施例による切削インサート１は、略多角形板状をなしており、具体的には、上面視で菱形状となっている。インサート本体２は、上面と側面との交差稜線部のうち、２つのコーナ部６にそれぞれコーナ切刃１０ａが形成されている。また、各コーナ切刃１０ａ同士をつなぐ各辺には、前記コーナ切刃１０ａと繋がる主切刃１０ｂが形成されている。なお、以下の説明において、前記コーナ切刃１０ａと前記主切刃１０ｂをまとめて切刃部として説明する。
【００３２】
インサート本体２の上面３には、切刃部とつながるとともに切刃部からインサート本体２の内側に離れるに連れて低位となるすくい面３０が形成されている。また、すくい面３０よりさらにインサート本体２の内側に切屑を処理するブレーカ突起３１が形成されている。なお、本発明におけるすくい面３０とは、切刃部からブレーカ突起３１までの面を意味するものとする。
【００３３】
本発明の特徴として、図３に示すように、切刃部が側面視において、前記コーナ切刃１０ａを最高部とする凹状に形成されている。また、図４に示すように、コーナ部６の二等分線を含む垂直断面におけるすくい角θ１が、同断面におけるブレーカ突起３１の立ち上がり角度θ２よりも大きく形成されている。さらに、図５から図７に示すように、主切刃１０ｂと直交する垂直断面におけるすくい角θ３が、同断面におけるブレーカ突起３１の立ち上がり角度θ４よりも小さく形成されている。なお、本発明において「すくい角」とは、各断面においてインサート本体の下面と前記すくい面とのなす角度という。また、本発明において「ブレーカ突起の立ち上がり角度」とは、インサート本体の下面とブレーカ突起のすくい面側の表面とがなす角度をいう。なお、図４から図７において、Ｌ−Ｌ線は、インサート本体の下面と平行な線を示している。
【００３４】
上記構成により、最も切削加工に使用されるコーナ切刃１０ａにより切削された切屑を角度の大きいすくい面３０により十分にブレーカ突起３１まで引き込むことができ、幅広い送り条件でカール径の小さい安定した切屑処理ができる。また、立ち上がり角度の小さいブレーカ突起３１により、カールピッチの狭い良好な切屑をスムーズに排出することができる。さらに、コーナ切刃１０ａにおけるすくい角θ１が大きく、且つ、切刃部が側面視において、前記コーナ切刃１０ａを最高部として凹状に形成されていることからコーナ切刃１０ａにおける切削抵抗を低減することができる。また、主切刃１０ｂも使用して切削した切屑は、立ち上がり角度の大きいブレーカ突起３１によって確実にカールさせることができる。
【００３５】
また、コーナ切刃１０ａのすくい角は、該コーナ切刃１０ａの中央から離れるに連れて小さくなっている。これにより、コーナ切刃１０ａの中央部近傍を使用する低切り込み加工においても、切屑をすくい面３０の底部まで確実に引き込むことができるため、カール径が小さく絡まりにくい切屑を排出することができる。
【００３６】
また、１つのコーナ部から他のコーナ部に向かう辺において、前記コーナ部から離れていく主切刃１０ｂと直交する垂直断面を見た場合、コーナ部から離れるにつれて前記すくい面３０のすくい角θ３が小さくなっている。これにより、コーナ切刃１０ａの強度向上に加えて、コーナ切刃１０ａに続いて使用頻度が高い、コーナ切刃近傍における切刃部の強度と切屑処理を向上させることができる。
【００３７】
また、主切刃は、該主切刃と直交する垂直断面において、前記コーナ部から離れるにつれてブレーカ突起までの距離が長くなっている。さらに、前記すくい面の最低部（前記垂直断面において、すくい面とブレーカ突起とが交差する部分）が低くなっている。これにより、主切刃も使用して切削された切屑は、コーナ切刃から切り込み量以上離れた位置にあるすくい面の底部に干渉することなくカールして排出される。その結果、幅広い送り条件及び切り込み深さにおいても、安定した切削加工が可能になる。
【００３８】
また、図１に示されるように、コーナ部６におけるすくい面３０は、上面視において、ブレーカ突起３１からコーナ切刃１０ａ側に広がる、すなわち、仮想の直線からなる辺がブレーカ突起３１に向かった扇状に形成されている。当該扇状のすくい面３０は、湾曲した凹状面からなっている。これにより、コーナ切刃１０ａで切削した切屑を、ブレーカ突起３１に集めることができ、切屑処理性能を向上させることができる。
【００３９】
また、切刃部は、側面視において、１つのコーナ部６から他のコーナ部に向かう間で、凹状に形成された後、他のコーナ部６に向かって一定の高さで形成されている。また、上面において、一定の高さで形成されている切刃部からインサート本体２の内側に向かって延びるランド部３２が形成されている。これにより凹状に形成された切刃部の範囲を超えて切削する場合の切刃部の強度を向上させることができる。
【００４０】
また、上面３と側面５の交差稜線部に加えて、下面４と側面５との交差稜線部にも切刃を有しており、上面と下面と反転させて使用可能な、所謂、両面使いの切削インサートとなっている。
【００４１】
具体的には、インサート本体の下面と側面との交差稜線部に位置するとともに、菱形の各下面側コーナ部に形成された下面側コーナ切刃と、該下面側コーナ切刃と繋がり該コーナ部から他のコーナ部に向かう辺に沿ってそれぞれ形成された下面側主切刃を備えている。
【００４２】
また、インサート本体の下面において、前記下面側コーナ切刃及び下面側主切刃のインサート本体の内側に形成された下面側すくい面と、該下面側すくい面よりさらにインサート本体の内側に形成された下面側ブレーカ突起が形成されている。これにより、上下面の切刃部が使用できるため、経済性に優れるとともに、下面側を切削加工に使用しても良好な切屑処理が可能となる。
【００４３】
また、上面３及び下面４には、ブレーカ突起３１より高く、コーナ部６を基準にブレーカ突起３１よりも遠く且つ該ブレーカ突起３１から離間した位置に、コーナ部６を構成する各辺に沿って配置された複数の載置面３３がそれぞれ形成されている。これにより、最も使用頻度が高いコーナ切刃１０ａで切削された切屑を処理するブレーカ突起３１、特にその先端側（コーナ切刃側）の形状の自由度が高まり、良好な切屑の排出が可能になる。
【００４４】
さらに、ブレーカ突起３１と最もブレーカ突起３１側に設けられた２つの載置面の間には、上面のうち最も高さが低い凹部３４を有している。これにより、ブレーカ突起３１は高さの低いすくい面３０の底部および当該凹部３４に囲まれるため、金型によるインサート本体２の成型時にブレーカ突起の周囲にかかる圧力を均等に近づけることができ、当該ブレーカ突起の原料密度を高めることができる。その結果、焼結時におけるブレーカ突起３１の形状の変形を抑制することができる。
【００４５】
コーナ部６の二等分線を含む垂直断面におけるすくい角θ１は、１５〜３０°の範囲内であることが好ましく、また、同断面におけるブレーカ突起３１の立ち上がり角度θ２は、５〜１５°の範囲内であることが好ましい。当該範囲内においては、コーナ切刃１０ａにより切削された切屑の引き込みと、カールピッチの小さい切屑を形成するための立ち上がり角度のバランスが良く、切屑排出性に優れている。なお、これらの角度θ１とθ２とは、両方のバランス関係が重要であり、一方のみが上記範囲内に含まれる場合に必ず良い結果を得られるものではない。
【００４６】
また、主切刃１０ｂと直交する垂直断面におけるすくい角θ３は、１０〜２０°の範囲内であることが好ましく、また、同断面におけるブレーカ突起３１の立ち上がり角度θ４は、２５〜４０°の範囲内であることが好ましい。当該範囲内においては、コーナ切刃１０ａの強度向上と、主切刃１０ｂにより切削された切屑排出性のバランスに優れている。なお、これらθ３とθ４は、両方のバランス関係のみならず、θ１及びθ２とのバランスも重要であり、すくい角θ１が、前記ブレーカ突起３１の立ち上がり角度θ２よりも大きいとの条件に加えて、当該範囲内にθ３及びθ４を設計することにより、コーナ切刃１０ａの強度向上と主切刃１０ｂにより切削される切屑排出性とを共に向上させることができる。
【００４７】
なお、上記実施例においては、切削インサート１の形状として上面視が菱形のものを例示したが、その他の形状として例えば上面視において、正方形、長方形、平行四辺形等の多角形板状のものが使用可能である。
【００４８】
本発明の切削インサートは、例えば図８に示すようなホルダに取り付けられて切削工具として使用される。そして、当該切削工具を固定して被削材を回転させて使用する旋削工具として使用される。
【００４９】
［製造方法］
以下に本発明の切削インサートの製造方法の一例について説明する。インサート本体は、基体と基体の表面に形成された被覆層とを有している。
【００５０】
基体は、炭化タングステン（ＷＣ）と、所望により周期表第４、５、６族金属の炭化物、窒化物、炭窒化物の群から選ばれる少なくとも１種からなる硬質相をコバルト（Ｃｏ）および／またはニッケル（Ｎｉ）の鉄属金属からなる結合相にて結合させた超硬合金や、Ｔｉ基サーメット、または窒化ケイ素、酸化アルミニウム、ダイヤモンド、立方晶窒化ホウ素等のセラミックスなど従来から使用可能な材料を適宜使用できる。
【００５１】
かかる基体の製法は、例えば基体として超硬合金を用いる場合には、炭化タングステン（ＷＣ）粉末に対し、金属コバルト（Ｃｏ）粉末を５〜１０質量％、周期表第４、５、６族金属の炭化物（炭化タングステンを除く）、窒化物、炭窒化物の群から選ばれる少なくとも１種の化合物を０．１〜８．０質量％の割合で添加、混合して、プレス成形により切削インサート形状に成形する。そして、この成形体に対して脱バインダ処理を施した後、真空中にて、１３５０〜１５５０℃で０．５〜３時間焼成して超硬合金からなる基体を作製する。
【００５２】
次に、被覆層を成膜する前の基体表面に対して、被覆層と基体の密着性を向上させ、かつ被覆した被覆層の表面性状に反映させる目的で、基体表面全体にブラスト加工を施す。加工条件はアルミナ＃２００〜１０００の砥粒を使用し、噴出圧力が２〜１０ＭＰａにて最大高さ（Ｒｚ）が０．３μｍ〜１．５μｍ程度の均一な粗さに調節する。このとき、切刃に向かって集中的にブラスト加工を施すことによって、切刃に丸ホーニングを形成してもよく、また成形時に生じる切刃のバリを除去することも可能である。
【００５３】
さらに、ホーニング量は曲率半径をＲ＝０．０２〜０．０６ｍｍとすることで、切れ味、耐欠損性ともにバランスが取れた切刃形状とすることができる。
【００５４】
また、基体の表面に形成する被覆層として、例えば、基体の表面に第１層として厚み０．１〜１．０μｍのＴｉＮ層を成膜し、第２層として耐摩耗性、耐欠損性に優れる柱状結晶組織からなるＴｉＣＮ層を厚み１．５〜１５μｍで成膜する。次いで、第３層として粒状のＴｉＣＮ層を厚み０．０５〜１．０μｍ成膜し、第４層としてＴｉＣＮＯ層を厚み０〜０．２μｍに成膜する。そして、第５層として耐酸化性に優れるＡｌ２Ｏ３層を厚み０．５〜８．０μｍで被覆する。さらに、第６層としてＴｉＮ層またはＴｉＣ層を厚み０．５〜１．５μｍで成膜する。これらの被覆層は膜厚みが厚いほど耐摩耗性に優れる反面、基体と被覆層との熱膨張差による残留応力により耐欠損性が低下する。したがって、層厚みは被削材や切削条件などの工具の切削用途に応じた最適な値を設定する必要がある。
【００５５】
なお、上記基体表面に形成する被覆層は、一例であり、従来から用いられている材料に適宜変更することができる。
【００５６】
［切削方法］
次に、本発明の切削工具を用いた切削方法について図面を参照して説明する。
【００５７】
図８から図１０に本発明の切削方法における概略図を示す。まず、図８に示すように、切削工具１５と被削材２０とを準備し、被削材２０を回転させて切削工具１５を被削材２０に近づける。なお、切削工具１５と被削材２０とは、相対的に近づけば良く、例えば、被削材２０を切削工具１５に近づけても良い。
【００５８】
次いで、図９に示すように、切削工具１５を被削材２０に接触させて切削する。その後、図１０に示すように被削材２０から切削工具１５を離間させる。なお、切削加工を継続する場合は、被削材２０を回転させた状態を保持して、被削材２０の異なる箇所に切削工具１５を接触させる工程を繰り返す。
【００５９】
以上、本発明の実施形態を例示したが、本発明は前記実施形態に限定されるものではなく、発明の目的を逸脱しない限り任意のものとすることができることはいうまでもない。
【図面の簡単な説明】
【００６０】
【図１】本発明の一実施形態による切削インサートの上面図である。
【図２】図１における１つのコーナ部の拡大斜視図である。
【図３】本発明の一実施形態による切削インサートの側面図（ａ）及び１つのコーナ部の拡大側面図（ｂ）である。
【図４】図１の切削インサートのＡ−Ａの断面図である。
【図５】図１の切削インサートのＢ−Ｂの断面図である。
【図６】図１の切削インサートのＣ−Ｃの断面図である。
【図７】図１の切削インサートのＤ−Ｄの断面図である。
【図８】本発明の切削方法にかかる概略図である。
【図９】本発明の切削方法にかかる概略図である。
【図１０】本発明の切削方法にかかる概略図である。
【図１１】従来の切削インサートの上面図である。
【図１２】従来の切削インサートの側面図である。
【図１３】図１０の切削インサートのＡ−Ａ断面図（ａ）、Ｂ−Ｂ断面図（ｂ）、Ｃ−Ｃ断面図（ｃ）である。
【符号の説明】
【００６１】
１  切削インサート
２  インサート本体
３  上面
３０  すくい面
３１  ブレーカ突起
３２  ランド部
３３  載置面
３４  凹部
４  下面
５  側面
６  コーナ部
１０ａ  コーナ切刃
１０ｂ  主切刃
１５  切削工具
２０  被削材
【図１】
0005260924.tif 000002
【図２】
0005260924.tif 000003
【図３】
0005260924.tif 000004
【図４】
0005260924.tif 000005
【図５】
0005260924.tif 000006
【図６】
0005260924.tif 000007
【図７】
0005260924.tif 000008
【図８】
0005260924.tif 000009
【図９】
0005260924.tif 000010
【図１０】
0005260924.tif 000011
【図１１】
0005260924.tif 000012
【図１２】
0005260924.tif 000013
【図１３】
0005260924.tif 000014